(57)【要約】      （修正有）【課題】セルフプレーの場合でも、プレーヤーは距離の情報だけでなく、打ち下ろし打ち上げといった地形の影響も考慮して使用クラブ番手を適切に選択できるようになり、ボールを目的の場所に容易に運ぶことができるようなるゴルフ用ナビゲーション携帯装置を提供する。【解決手段】計算機部、眼鏡ディスプレイ部を備え、眼鏡ディスプレイ部において眼鏡越しに見える実風景の上に計算機部によって算出したショットの弾道イメージ線を重ねて表示することを特徴とする。【選択図】図１
0003197329.tif 000002
【実用新案登録請求の範囲】
【請求項１】
光学透過ヘッドマウントディスプレイ等の、計算機部、眼鏡ディスプレイ部を備え、眼鏡ディスプレイ部において眼鏡越しに見える実風景の上に計算機部によって算出したショットの弾道イメージ線を重ねて表示するゴルフ用ナビゲーション携帯装置。
【請求項２】
カメラ付き携帯電話等の、計算機部、カメラ部、ディスプレイ部を備えた機器で、カメラで撮影した実風景と算出した弾道イメージ線をディスプレイ部に重ねて表示するゴルフ用ナビゲーション携帯装置。
【請求項３】
シミュレーションゴルフシステム等で、ショットを打つ前に、インドア打席のスクリーン上に風景画像と予想の弾道イメージ線を重ねて表示する装置。
【請求項４】
前記ゴルフ用ナビゲーション携帯装置において、使用クラブのクラブ番手とロフト角の情報、プレーヤーのヘッドスピードまたは飛距離および打ち出し角または弾道の高低およびスピン量の情報、風向きと風速の情報、を事前に指定可能で、ユーザの身体能力と気象条件に合致した弾道イメージ線を算出して表示する機能を有する装置。
【請求項５】
ディスプレイ部に弾道イメージ線を算出して表示する際に、前記請求項４に記載の指定した情報もディスプレイ部に表示可能であるゴルフ用ナビゲーション携帯装置。
【請求項６】
前記ゴルフ用ナビゲーション携帯端末において、ＧＰＳ装置およびコース内のグリーンやハザードの地点情報を保持し、グリーンまでの残り距離から、最適と考えられる使用クラブを自動選択した上で、使用クラブでの弾道イメージ線を算出して表示する機能を有する装置。
【請求項７】
前記ゴルフ用ナビゲーション携帯端末において、距離計測用レーダー、カメラ部、画像解析ソフトウェアを保持し、使用クラブを自動選択をした上で、地形に合わせて落下地点付近の線の長さに修正を加えた弾道イメージ線を算出して表示する機能を有する装置。
【考案の詳細な説明】
【技術分野】
【０００１】  ゴルフコースでプレイヤーにナビゲーション情報を提供するゴルフ用ナビゲーション装置に関する。
【背景技術】
【０００２】  従来のゴルフプレーのスタイルは、キャディがプレーヤーに対してゴルフコースのナビゲーターとなっていた。しかし、昨今はプレースタイルが変化してセルフプレー（キャディ無し）でのプレーも多く見られるようになってきた。ナビゲーターがいないと、プレーヤーは使用クラブ番手の選択を間違えて、ハザード内にボールを打ち込むことも多くなる。その結果、スコアが悪くなり、プレーが遅くなり、プレーヤーとゴルフ場の双方に不利益がある。そこで、プレーヤーはゴルフ用ナビゲーション装置を携帯し、ナビゲーション装置が提示する情報を元にプレーすることで、使用クラブ番手を正しく選択して、目標とする場所にボールを運ぶことが可能になる。
【先行技術文献】
【特許文献】
【０００３】
【特許文献１】  特開２０１０−０２２６２２  ゴルフ用ナビゲーション携帯端末
【特許文献２】  特開２００３−０６１１３０  ゴルフナビゲーション装置
【非特許文献】
【０００４】
【非特許文献１】  ウィキペディア  ＧＰＳゴルフナビゲーション  ｈｔｔｐ：／／ｊａ．ｗｉｋｉｐｅｄｉａ．ｏｒｇ／ｗｉｋｉ／ＧＰＳ％Ｅ３％８２％Ｂ４％Ｅ３％８３％ＡＢ％Ｅ３％８３％９５％Ｅ３％８３％８Ａ％Ｅ３％８３％９３％Ｅ３％８２％Ｂ２％Ｅ３％８３％ＢＣ％Ｅ３％８２％Ｂ７％Ｅ３％８３％Ａ７％Ｅ３％８３％Ｂ３
【考案の概要】
【考案が解決しようとする課題】
【０００５】  従来のゴルフナビゲーション装置はグリーンやハザードなどまでの距離に関する情報だけを提供するものがほとんどである。打ち下ろし打ち上げなどの地形の影響があるため、距離に関する情報だけでは、プレーヤーはクラブ番手の選択を誤るという課題があった。
【課題を解決するための手段】
【０００６】  光学透過ヘッドマウントディスプレイ型のナビゲーション装置で、眼鏡越しに見える実風景に、選択した使用クラブ番手での弾道イメージ線を実風景に重ねて表示する。携帯端末型のナビゲーション装置では、カメラで撮影した実風景をディスプレイ部に表示し、実風景画像に弾道イメージ線を重ねて表示する。これによって、選択したクラブ番手でショットした場合に目的の場所にボールが着弾しそうであるかを知ることが可能になる。【０００７】  選択したクラブ番手での弾道イメージ線の作成には、クラブのロフト角の情報、プレーヤーのヘッドスピードまたは飛距離および打ち出し角または弾道の高低およびスピン量の情報、風向きと風速の情報、を事前に指定可能とすることで、ユーザの身体能力と気象条件に合致した弾道イメージ線を算出して、表示する。また、前記の指定情報は弾道イメージ線と共にディスプレイ部に表示することも可能とする。【０００８】  ＧＰＳ装置およびコース内のグリーンやハザードの地点情報も保持することで、グリーンまでの残り距離から、最適と考えられる使用クラブを自動選択する機能も有する。【０００９】  弾道イメージ線の表示においては、距離計測用レーダー、カメラ部、画像解析ソフトウェアを保持し、地形に合わせて落下地点付近の弾道イメージ線の長さに修正を加えて表示する。
【考案の効果】
【００１０】  セルフプレーの場合でも、プレーヤーは距離の情報だけでなく、打ち下ろし打ち上げといった地形の影響も考慮して使用クラブ番手を適切に選択できるようになり、ボールを目的の場所に運ぶことができるようなる。その結果、スコアも良くなり、プレーも早くなり、プレーヤーとゴルフ場の双方に利益がある。
【図面の簡単な説明】
【００１１】
【図１】  光学透過ヘッドマウントディスプレイを装置として、眼鏡越しの実風景に弾道イメージ線を重ねて表示している。
【図２】  カメラ付き携帯電話を装置として、ディスプレイに実風景と弾道イメージ線を重ねて表示している。
【図３】  シミュレーションゴルフシステム等のインドア打席のスクリーン上に風景画像と弾道イメージ線を重ねて表示している。
【考案を実施するための形態】
【実施例１】
【００１２】  光学透過ヘッドマウントディスプレイを装置として、実風景を透過する眼鏡ディスプレイにショットの弾道イメージ線を表示する。
【実施例２】
【００１３】  カメラ付き携帯電話等を装置として、カメラで撮影した実風景をディスプレイに表示し、ディスプレイに弾道イメージ線を重ねて表示する。
【実施例３】
【００１４】  シミュレーションゴルフシステム等のインドア打席のスクリーン上に風景画像と弾道イメージ線を重ねて表示する。
【産業上の利用可能性】
【００１５】  特に無し。
【符号の説明】
【００１６】  特に無し。
【図１】
0003197329.tif 000003
【図２】
0003197329.tif 000004
【図３】
0003197329.tif 000005
【手続補正書】
【提出日】平成27年2月9日(2015.2.9)
【手続補正１】
【補正対象書類名】実用新案登録請求の範囲
【補正対象項目名】全文
【補正方法】変更
【補正の内容】
【実用新案登録請求の範囲】
【請求項１】
計算機部、眼鏡ディスプレイ部を備え、眼鏡ディスプレイ部において眼鏡越しに見える実風景の上に計算機部によって算出したショットの弾道イメージ線を重ねて表示するゴルフ用ナビゲーション携帯装置。
【請求項２】
計算機部、カメラ部、ディスプレイ部を備えた機器で、カメラで撮影した実風景と算出した弾道イメージ線をディスプレイ部に重ねて表示するゴルフ用ナビゲーション携帯装置。
【請求項３】
請求項１又は２に記載のゴルフ用ナビゲーション携帯装置において、使用クラブのクラブ番手とロフト角の情報、プレーヤーのヘッドスピードまたは飛距離および打ち出し角または弾道の高低およびスピン量の情報、風向きと風速の情報、を事前に指定可能で、ユーザの身体能力と気象条件に合致した弾道イメージ線を算出して表示する機能を有する装置。
【請求項４】
請求項３に記載のゴルフナビゲーション装置において、ディスプレイ部に弾道イメージ線を算出して表示する際に、前記事前に記載の指定した情報もディスプレイ部に表示可能であるゴルフ用ナビゲーション携帯装置。
【請求項５】
請求項１〜４のいずれか１項に記載のゴルフ用ナビゲーション携帯端末において、ＧＰＳ装置およびコース内のグリーンやハザードの地点情報を保持し、グリーンまでの残り距離から、最適と考えられる使用クラブを自動選択した上で、使用クラブでの弾道イメージ線を算出して表示する機能を有する装置。
【請求項６】
請求項１〜５のいずれか１項に記載のゴルフ用ナビゲーション携帯端末において、距離計測用レーダー、カメラ部、画像解析ソフトウェアを保持し、使用クラブを自動選択した上で、地形に合わせて落下地点付近の線の長さに修正を加えた弾道イメージ線を算出して表示する機能を有する装置。